(57)【要約】      （修正有）【課題】製造が容易で、強度を有する建築物圧延鋼板構造を提供する。【解決手段】鋼材一体により製造され、圧延鋼板は上から下の断面において上部が比較的大きいＵ型フレームを形成し、比較的大きいＵ型フレームの２つのＵ型の踏板はそれぞれ内側に向かって屈折して第１の湾曲板を形成し、各第１の湾曲板の内側は下に向かって第２の湾曲板を形成し、２つの第２の湾曲板は相互に平行に離れており、比較的大きいＵ型フレーム、２つの第１湾曲板および２つの第２の湾曲板のフレームによってフレーム室を定め、各第２の湾曲板の底辺は外側に向かって延伸する底板を形成し、各底板は外側に比較的小さいＵ型フレームを形成し、比較的小さいＵ型フレームの頂部と比較的大きいＵ型フレームの底部とは直立に対向して間隔を有する。【選択図】図１
0003170817.tif 000002
【実用新案登録請求の範囲】
【請求項１】
鋼材一体により製造された圧延鋼板を含み、前記圧延鋼板は上から下の断面において上部が比較的大きいＵ型フレームを形成し、前記比較的大きいＵ型フレームの２つのＵ型の踏板はそれぞれ内側に向かって屈折して第１の湾曲板を形成し、前記各第１の湾曲板の内側は下に向かって第２の湾曲板を形成し、前記２つの第２の湾曲板は相互に平行に離れており、前記比較的大きいＵ型フレーム、２つの第１湾曲板および２つの第２の湾曲板のフレームによってフレーム室を定め、前記各第２の湾曲板の底辺は外側に向かって延伸する底板を形成し、前記各底板は外側に比較的小さいＵ型フレームを形成し、前記比較的小さいＵ型フレームの頂部と前記比較的大きいＵ型フレームの底部とは直立に対向して間隔を有する、
建築物圧延鋼板構造。
【請求項２】
前記各底板の底部から前記比較的小さいＵ型フレームの外縁まで蓋板が設けられる、
請求項１に記載の建築物圧延鋼板構造。
【考案の詳細な説明】
【技術分野】
【０００１】
本考案は、建築物圧延鋼板構造に関し、特に天井の各スラブの重ね継ぎに用いる圧延鋼板に関する。
【背景技術】
【０００２】
一般的に、建築物に用いられる圧延鋼板は、建築物の天井、塀または間仕切壁の支柱に用いられる。
【０００３】
建築物の天井に用いられる圧延鋼板を例に説明する。当該建築物の天井に用いられる圧延鋼板は、主に天井の各スラブの重ね継ぎに用いられる。このような圧延鋼板は、図９および図１０に示すＣ型鋼板（２）（その形状は“コ”に近いが、通称に従い、Ｃ型鋼板と称す）が一般的だが、Ｃ型鋼板（２）は主に建築物の骨組み（４）に架設され、当該“コ”型の直立板（２１）を強度を支える屋根の板材（３）としている。しかし、“コ”型は一つの直立板（２１）のみであるため、Ｃ型鋼板の間隔を短くすることで強度を増強しているが、密度が高すぎると、材料コストの支出が増加する。
【０００４】
したがって、ある設計者は、「鉄骨構造トラス屋根用圧延鋼板構造」を設計し、台湾特許実用新案第M382166号の特許を取得している。その明細書の記載によると、当該実用新案は主に鋼材一体成形により製造された圧延鋼板であり、その断面の中央頂面部は水平面を備え、当該水平面の両方の末端はそれぞれ下に向かって屈折して延伸し、２つの対称の中央直立部を形成し、２つの中央直立部の下端はそれぞれ外に向かって屈折して延伸し、相互に対称の水平底面部を形成し、当該２つの水平底面部の末端はそれぞれ垂直に上に向かって屈折して２つの相互に対称の側立部を形成し、２つの側立部の末端はそれぞれ２つの中央直立部方向に向かって水平に屈折し、２つの水平支持部を設ける。ここで、当該２つの水平底面部の間隔は中央頂面部の幅より小さく、当該２つの水平支持部の自由端と隣接する中央直立部との間は、それぞれ相互に一定の間隔だけ離れており、且つ当該２つの側立部の高度はいずれも中央直立部の高度の半分より小さい。当該明細書に記載の効果によると、トラス屋根の応力度を増強するとともに、運搬および施行過程などでの安全性を向上できる多様な効果を有する。しかしながら、当該実用新案の明細書および図７に開示された内容によると、ｄ１（幅）からｄ２（間隔）までを収斂状に形成するため、および水平支持部として屈折させるため、このような斜度を製造するには、その製造工程は相当正確でなければならない。そのため、品質を一定に保つには難易度が高く、圧延鋼板の加工の難しさに加え、製造コストも増加する。また、当該圧延鋼板の本体構造は上が広くて下が狭いため、重心が不安定になる問題を生じやすい。また、当該実用新案の構造において、ｄ2（間隔）があるため、建築の骨組みが完成した後、空洞が生じて平らにならないという欠陥を生じやすい。
【先行技術文献】
【特許文献】
【０００５】
【特許文献１】台湾特許実用新案第M382166号明細書
【考案の概要】
【考案が解決しようとする課題】
【０００６】
従来技術の課題に鑑み、本考案者は改善できる構造を有する必要があると考慮し、鋼材一体により製造された圧延鋼板を含み、当該圧延鋼板は上から下の断面において上部が比較的大きいＵ型フレームを形成し、当該比較的大きいＵ型フレームの２つのＵ型の踏板はそれぞれ内側に向かって屈折して第１の屈折板を形成し、当該各第１の屈折板の内側は下に向かって第２の屈折板を形成し、当該２つの第２の屈折板は相互に平行に離れており、当該比較的大きいＵ型フレーム、２つの第１屈折板および２つの第２の屈折板のフレームによってフレーム室を定め、当該各第２の屈折板の底辺は外側に向かって延伸する底板を形成し、当該各底板は外側に比較的小さいＵ型フレームを形成し、当該比較的小さいＵ型フレームの頂部と当該比較的大きいＵ型フレームの底部とは直立に対向して間隔を有する、建築物圧延鋼板構造を設計した。
【０００７】
これにより、本考案は前述の単体のＣ型鋼板の強度不足の問題を改善し、前述の台湾特許実用新案第M382166号の製造が難しい問題も改善することができる。また、本考案の構造は幅が長く、重心が安定しており、構造の安定性を増強しているので、重心の不安定という問題も改善することができる。
【０００８】
本考案は、当該各底板の底部から当該比較的小さいＵ型フレームの外縁まで蓋板を設け、当該蓋板は屋根の板材の全体性を向上し、当該蓋板はフレーム室を密閉することができるので、当該フレーム室内は電線を設置する「管路」を形成しており、照明器具の設置に特別な施行をする必要なく、容易に照明器具を設置することができ、且つその密着する圧延鋼板の構造は重心が安定しているため、その下端にもいかなる材質の装飾板や防音異板を設置して、建物内部の美観や環境保護を向上させることができ、固定用の板を設置することなく、インテリアの柔軟性を高めることを目的とする。
すなわち、本考案は、以下の特徴を有する。
（１）鋼材一体により製造された圧延鋼板を含み、前記圧延鋼板は上から下の断面において上部が比較的大きいＵ型フレームを形成し、前記比較的大きいＵ型フレームの２つのＵ型の踏板はそれぞれ内側に向かって屈折して第１の湾曲板を形成し、前記各第１の湾曲板の内側は下に向かって第２の湾曲板を形成し、前記２つの第２の湾曲板は相互に平行に離れており、前記比較的大きいＵ型フレーム、２つの第１湾曲板および２つの第２の湾曲板のフレームによってフレーム室を定め、前記各第２の湾曲板の底辺は外側に向かって延伸する底板を形成し、前記各底板は外側に比較的小さいＵ型フレームを形成し、前記比較的小さいＵ型フレームの頂部と前記比較的大きいＵ型フレームの底部とは直立に対向して間隔を有する、建築物圧延鋼板構造。
（２）前記各底板の底部から前記比較的小さいＵ型フレームの外縁まで蓋板が設けられる、（１）に記載の建築物圧延鋼板構造。
【図面の簡単な説明】
【０００９】
【図１】本考案に係る圧延鋼板の立体図。
【図２】本考案に係る圧延鋼板の平面断面図。
【図３】本考案に係る圧延鋼板の使用状態の立体図。
【図４】本考案の圧延鋼板を建築物の天井に合わせた立体分解図。
【図５】本考案の圧延鋼板を建築物の天井に合わせた組み合わせ断面図。
【図６】本考案の圧延鋼板を蓋板に合わせた組み合わせ状態の断面図。
【図７】本考案の圧延鋼板を間仕切壁の支柱として用いた模式図。
【図８】本考案の圧延鋼板を塀として用いた模式図。
【図９】従来技術の立体分解図。
【図１０】従来技術の組み合わせ立体図。
【考案を実施するための最良の形態】
【００１０】
以下、本考案をさらに理解できるように、図面を参照して、本考案の構造、特徴および実施例を説明する。
【００１１】
図１に示すように、本考案は建築物圧延鋼板構造に関し、鋼材一体により製造された圧延鋼板（１）を有し、関連の板材と合わせて、それぞれ建築物の天井や図７に示すような間仕切壁の支柱（１Ｅ）に用いられ、また図８に示すような塀（１Ｆ）に設けられる。
【００１２】
ここで、建築物の天井に用いられる圧延鋼板を例に説明する。当該建築物の天井に用いられる圧延鋼板（１）は、図３に示すように、主に建築物の骨組み（４）に架設され、当該圧延鋼板（１）は上から下の断面において上部が比較的大きいＵ型フレーム（１１）を形成し、当該比較的大きいＵ型フレーム（１１）の２つのＵ型の踏板（１１１）はそれぞれ内側に向かって屈折して第１の屈折板（１３）を形成し、当該各第１の屈折板（１３）の内側は下に向かって第２の屈折板（１４）を形成し、当該２つの第２の屈折板（１４）は相互に平行に離れており、当該比較的大きいＵ型フレーム（１１）、２つの第１屈折板（１３）および２つの第２の屈折板（１４）のフレームによってフレーム室（１５）を定め、当該各第２の屈折板（１４）の底辺は外側に向かって延伸する底板（１６）を形成し、当該各底板（１６）は外側に比較的小さいＵ型フレーム（１７）を形成し、当該比較的小さいＵ型フレーム（１７）の頂部と当該比較的大きいＵ型フレーム（１１）の底部とは直立に対向して間隔（Ｄ）を有する。これにより、本考案は前述の単体のＣ型鋼板の強度不足の問題を改善し、本考案の当該２つの屈折板（１４）は相互に平行に離れており、その他の屈折もいずれも横、縦にまっすぐに屈折しており、斜めに屈折する問題もないため、前述の台湾特許実用新案第M382166号の製造が難しく、加工コストが高く、重心が不安定という問題も改善することができる。
【００１３】
図６に示すように、当該各底板（１６）の底部から当該比較的小さいＵ型フレーム（１７）の外縁まで蓋板（１２）が設けられている。当該蓋板（１２）は屋根の板材の全体性を向上し、当該蓋板（１２）は当該フレーム室（１５）を密閉することができるので、当該フレーム室（１５）内は電線を設置する「管路」を形成することができ、照明器具（５）を設置するために特別に管路を開ける必要なく、容易に照明器具（５）を設置することができる。
【００１４】
図４と図５を合わせて参照する。建築物の天井の場合、前記図１から図３に示す圧延鋼板（１）を基に、前述の比較的小さいＵ型フレーム（１７）の頂部と当該比較的大きいＵ型フレーム（１１）の底部とは、当該直立に対向する間隔（Ｄ）を有し、防火耐熱または強化用として、当該間隔にはケイ酸カルシウム板（１Ａ）または鋼板が埋設される。また、当該ケイ酸カルシウム板（１Ａ）は第２の屈折板の外側に当接する。当該ケイ酸カルシウム板（１Ａ）、頂部には防火耐熱または強化用として岩棉（１Ｂ）（セラミック板などの防火耐熱スラブであってもよい）を設ける。また、岩棉（１Ｂ）の頂部には、防水用として耐水スラブ（１Ｃ）が設けられる。当該耐水スラブ（１Ｃ）の頂部には、装飾用として屋根装飾板（１Ｄ）が設けられる。
【００１５】
本考案は上記建築物の天井に用いられるだけでなく、図７に示すような間仕切壁の支柱（１Ｅ）または図８に示すような塀（１Ｆ）に用いても良い。
【００１６】
上記の通り、本考案は産業上の利用可能性に適しており、出願前に刊行物で見られたり、公開で使用されたりしておらず、また周知でもなく、容易に創造されるものでもなく、特許要件を満たしているため、法に基づき、特許出願を行う。また、上記は本考案の産業上の最良の実施例を示したものであり、本考案の特許範囲に基づいて行われる種々の変化は、いずれも本考案の保護を求める範囲に属する。
【符号の説明】
【００１７】
（１）圧延鋼板
（１１）比較的大きいＵ型フレーム
（１１１）踏板
（１２）蓋板
（１３）第１の屈折板
（１４）第２の屈折板
（１５）フレーム室
（１６）底板
（１７）比較的小さいＵ型フレーム
（１Ａ）ケイ酸カルシウム板
（１Ｂ）岩棉
（１Ｃ）耐水スラブ
（１Ｄ）屋根装飾板
（１Ｅ）間仕切壁の支柱
（１Ｆ）塀
（２）Ｃ型鋼板
（２１）直立板
（３）屋根板材
（４）建築物の骨組み
（５）照明器具
（Ｄ）間隔
【図１】
0003170817.tif 000003
【図２】
0003170817.tif 000004
【図３】
0003170817.tif 000005
【図４】
0003170817.tif 000006
【図５】
0003170817.tif 000007
【図６】
0003170817.tif 000008
【図７】
0003170817.tif 000009
【図８】
0003170817.tif 000010
【図９】
0003170817.tif 000011
【図１０】
0003170817.tif 000012